(57)【要約】【課題】      磁気回路を樹脂フレームの載置部上に安定した状態で固定することが可能なスピーカー装置などを提供する。【解決手段】  スピーカー装置は、同軸型の２ウェイスピーカーであり、低音及び高音再生用のスピーカーユニットを夫々備えている。低音再生用のスピーカーユニットは、樹脂フレームなどの振動系と、ヨークなどの磁気回路系等から構成されている。樹脂フレームは、磁気回路系を載置する載置部を有しており、その載置部の上面にはヨークの底面を支持する環状の凸部が形成されている。樹脂フレームの底面全体ではなく、凸部のみでヨーク底面を支持するので、樹脂フレームの底面の平坦性が不十分又は平坦性にばらつきがある場合でも、ヨークを水平に取り付けることができる。【選択図】    図３
2005277866.tif 000002
【特許請求の範囲】
【請求項１】
ヨークを含む磁気回路が載置される載置部を有し、
前記載置部の前記ヨークの底面と対向する面には、前記ヨークの底面を支持する凸部が形成されていることを特徴とするスピーカーユニットの樹脂フレーム。
【請求項２】
ヨークを含む磁気回路と、
前記磁気回路が載置される載置部を有する樹脂フレームと、を備え、
前記載置部の前記ヨークの底面と対向する面には、前記ヨークの底面を支持する凸部が形成されていることを特徴とするスピーカーユニット。
【請求項３】
前記凸部は、環状の凸部であることを特徴とする請求項２に記載のスピーカーユニット。
【請求項４】
前記凸部は、前記載置部の周方向に所定間隔で形成された複数の凸部であることを特徴とする請求項２に記載のスピーカーユニット。
【請求項５】
前記磁気回路及び前記樹脂フレームは中央部に開口を有し、
前記磁気回路は、前記開口に挿入された固定部材により前記樹脂フレームに対して固定されていることを特徴とする請求項２乃至４のいずれか一項に記載のスピーカーユニット。
【請求項６】
請求項５に記載のスピーカーユニットと、
前記固定部材により、前記スピーカーユニットと同軸状に配置された他のスピーカーユニットと、を備えることを特徴とするスピーカー装置。
【発明の詳細な説明】
【技術分野】
【０００１】
本発明は、スピーカー装置における樹脂フレームの構造に関する。
【背景技術】
【０００２】
従来より、フランジ状の形状をなすヨークを含むポールピースと、環状のマグネットと、環状のプレートとを有する外磁型のスピーカー装置が知られている。かかるスピーカー装置では、ポールピースの構成要素であるヨーク上に環状のマグネットが重ねて配置され、さらにそのマグネット上にプレートが重ねて配置されることにより、外磁型の磁気回路を構成している。そのような外磁型のスピーカー装置では、ヨーク底面を樹脂フレームの内側面（以下、「載置部」とも呼ぶ。）に対向させた状態で、それらの対向面に接着剤を塗布して、磁気回路を樹脂フレーム上に固定するようにしている。
【０００３】
この種の磁気回路を有するスピーカー装置としては、例えば、樹脂フレームの根本部を樹脂ケースの開口部に螺合させることにより、磁気回路を樹脂ケース内に固定するようにしたスピーカーが知られている（例えば、特許文献１を参照）。また、フレーム及び樹脂製のカバーに接合手段を設けて、マグネット、プレート、及びポールピースを有する磁気回路をフレームと樹脂製のカバーとの間に固定するようにしたスピーカーが知られている（特許文献２を参照）。
【０００４】
しかしながら、上記のスピーカー装置では、金属フレームに比べ剛性の低い樹脂フレームの載置部に、接着剤により磁気回路を固定するようにしているので、樹脂フレームの成形精度などにより載置部の平坦性が不十分である場合、磁気回路が傾いた状態で樹脂フレーム上に固定されてしまう。また、載置部が撓むなどして変形を生じた場合、ヨークと樹脂フレームとが部分的に剥離して接着不良を引き起こすことがある。このため、ヨーク底面と樹脂フレームの載置部との接着時に、磁気回路を安定した状態で載置部上に固定することができないという問題があった。
【０００５】
【特許文献１】特開平１０−２３５９６号公報
【特許文献２】特開２００１−３５９１８９号公報
【発明の開示】
【発明が解決しようとする課題】
【０００６】
本発明が解決しようとする課題としては、上記のようなものが例として挙げられる。本発明は、磁気回路を樹脂フレームの載置部上に安定した状態で固定することが可能なスピーカー装置を提供することを課題とする。
【課題を解決するための手段】
【０００７】
請求項１に記載の発明では、スピーカーユニットの樹脂フレームは、ヨークを含む磁気回路が載置される載置部を有し、前記載置部の前記ヨークの底面と対向する面には、前記ヨークの底面を支持する凸部が形成されていることを特徴とする。
【０００８】
請求項２に記載の発明では、スピーカーユニットは、ヨークを含む磁気回路と、前記磁気回路が載置される載置部を有する樹脂フレームと、を備え、前記載置部の前記ヨークの底面と対向する面には、前記ヨークの底面を支持する凸部が形成されていることを特徴とする。
【発明を実施するための最良の形態】
【０００９】
本発明の好適な実施形態では、スピーカーユニットの樹脂フレームは、ヨークを含む磁気回路が載置される載置部を有し、前記載置部の前記ヨークの底面と対向する面には、前記ヨークの底面を支持する凸部が形成されている。
【００１０】
上記の樹脂フレームは、磁気回路が載置される載置部を有する。例えば鍋状又はつぼ状の樹脂フレームの場合、内側の底面が載置部となる。載置部上には、ヨークの底面を支持する凸部が設けられている。よって、磁気回路は、ヨークの底面が凸部により下方から支持された状態で樹脂フレーム上に載置される。即ち、磁気回路は、載置部の面全体で支持されるのではなく、載置部上に形成された凸部のみで支持される。樹脂フレームの載置部は基本的に平坦に成形されるが、実際には樹脂成形の精度などにより載置部の平坦性が不十分であったり、ばらつきがあったりということがある。しかし、上記の樹脂フレームによれば、磁気回路は載置部に形成された凸部により支持されるので、載置部自体の平坦性に問題があっても、その影響を受けずに磁気回路を載置部上に水平に載置することができ、磁気回路を安定的に樹脂フレームに取り付けることが可能となる。
【００１１】
本発明の他の実施形態では、スピーカーユニットは、ヨークを含む磁気回路と、前記磁気回路が載置される載置部を有する樹脂フレームと、を備え、前記載置部の前記ヨークの底面と対向する面には、前記ヨークの底面を支持する凸部が形成されている。
【００１２】
上記のスピーカーユニットにおいて、樹脂フレームは、磁気回路が載置される載置部を有する。載置部上には、ヨークの底面を支持する凸部が設けられている。よって、磁気回路はヨークの底面を凸部により下方から支持された状態で樹脂フレーム上に載置される。即ち、磁気回路は、載置部の面全体で支持されるのではなく、載置部上に形成された凸部のみで支持される。よって、樹脂成形の精度などにより載置部の平坦性が不十分であったり、ばらつきがあったりする場合でも、磁気回路は載置部に形成された凸部により支持されるので、その影響を受けずに磁気回路を載置部上に水平に載置することができ、その結果、磁気回路を安定的に樹脂フレームに取り付けることが可能となる。
【００１３】
上記のスピーカーユニットの一態様では、前記凸部を環状の凸部としてもよく、前記載置部の周方向に所定間隔で形成された複数の凸部としてもよい。
【００１４】
上記のスピーカーユニットの他の一態様では、前記磁気回路及び前記樹脂フレームは中央部に開口を有し、前記磁気回路は、前記開口に挿入された固定部材により前記樹脂フレームに対して固定されている。この態様では、磁気回路は、載置部上に形成された凸部により水平に支持された状態で、固定部材により樹脂フレームに対して固定される。その際、凸部が支点となって固定部材を固定したときに凸部からフレームに至る開口部分がばねの作用を成し、振動板に対して緩みにくくなるので、強固に固定することができる。固定部材としては、例えばねじやボルトなどを使用することができる。
【００１５】
また、本発明の他の実施形態では、スピーカー装置は、上記のスピーカーユニットと、前記固定部材により、前記スピーカーユニットと同軸状に配置された他のスピーカーユニットと、を備える。この態様では、上記のスピーカーユニットをいわゆる同軸スピーカーに適用することができる。
【実施例】
【００１６】
以下、図面を参照して本発明の好適な実施例について説明する。本実施例は、ヨーク底面と樹脂フレームの載置部との固着時に、低音再生用のスピーカーユニットの磁気回路を載置部上に安定した状態で固定する。
【００１７】
[スピーカー装置の構成]
先ず、図１に、本発明の実施例に係るスピーカー装置１００の概略構成を模式的に示す。図１（ａ）は、スピーカー装置１００の中心軸を含む平面を切断したときの断面図を示す。図１（ｂ）は、スピーカー装置１００の背面図を示す。なお、本実施例のスピーカー装置１００は船舶用あるいは車載用スピーカーとして好適に用いることができる。以下、図１（ａ）及び（ｂ）を参照して、本実施例のスピーカー装置１００の構成等について説明する。
【００１８】
スピーカー装置１００は、低音再生用のスピーカーユニット５０と、高音再生用のスピーカーユニット５１と、その他各種の部材を備えている。かかるスピーカー装置１００は、いわゆる同軸型（コアキシャル型）の２ウェイスピーカーであり、放音側に高音再生用のスピーカーユニット５１を、背面側に低音再生用のスピーカーユニット５０を同軸上に配置して構成される。このため、スピーカー装置１００は、低域から高域にわたりフラットな音再生を実現できる。なお、低音再生用のスピーカーユニット５０は、低音及び中音再生が可能なスピーカーユニットであってもよい。また、高音再生用のスピーカーユニット５１は、高音及び中音再生が可能なスピーカーユニットであってもよい。
【００１９】
先ず、低音再生用のスピーカーユニット５０の構成について述べる。低音再生用のスピーカーユニット５０は、主として、振動板１、ダンパー２、防水ダンパー２２、ボイスコイルボビン３、ボイスコイル４、及び樹脂フレーム５を有する振動系１０と、ポールピース６、環状のマグネット７、及び環状のプレート８を有する磁気回路系１１と、樹脂グリル２１とを備えている。
【００２０】
先ず、振動系１０の各構成要素について説明する。
【００２１】
振動板１は、いわゆるコーン形状の振動板であり、別体のエッジ部１ａを接着するか、あるいはエッジ部１ａと一体的に形成される。振動板１には、各種の用途に応じ、紙系、高分子系、金属系などの各種の材料を適用することができる。振動板１の外周縁部、即ちエッジ部１ａの下端部は、樹脂フレーム５の上部に位置する第１のフランジ部５ａ上に固着している。一方、振動板１の内周縁部は、ボイスコイルボビン３の外周壁の上端近傍に固着している。
【００２２】
ダンパー２は、フェーノール樹脂などの熱硬化性樹脂を含侵した布製などの材料などからなり、複数の波型が同心円状に形成されている。ダンパー２は、ボイスコイルボビン３を移動自在に支持する。ダンパー２の内周縁部は、ボイスコイルボビン３の外周壁に固着している。一方、ダンパー２の外周縁部は、樹脂フレーム５の中央部近傍に形成された第２のフランジ部５ｂ上に固着している。
【００２３】
防水ダンパー２２は、放音側から磁気回路系１１などに水滴などが侵入するのを防止する機能を果たす。このため、防水ダンパー２２の材料としては、例えば、熱可塑性エラストマーなどの材料が適している。防水ダンパー２２の外周縁部は、振動板１の所定位置に取り付けられており、防水ダンパー２２の内周縁部は、後述する支持部材４０の連結部４０ｂの外周壁に取り付けられている。
【００２４】
ボイスコイルボビン３は、略円筒状の形状をなす。ボイスコイルボビン３の下端部の外周壁には、ボイスコイル４が巻回されている。また、ボイスコイルボビン３の下端部の外周壁は、環状のプレート８の内周壁と一定の間隔を隔てて対向している。さらに、ボイスコイルボビン３の下端部の内周壁は、ポールピース６の上端部の外周壁と一定の間隔を隔てて対向している。そして、ポールピース６の上端部の外周壁と、プレート８の内周壁との間に空隙（磁気ギャップ３３）が形成されている。
【００２５】
ボイスコイル４は、プラス／マイナスのリード端子（図示略）を有している。プラス側のリード端子は、Ｌ（又はＲ）チャンネル信号の入力端子であり、マイナス側のリード端子はグランド（ＧＮＤ：接地）信号の入力端子である。各リード端子は、振動板１の所定位置において、各錦糸線９の一端と電気的に接続されており、各錦糸線９の他端は、接続端子３２に電気的に接続されている。ボイスコイル４には、接続端子３２及び錦糸線９を介して、図示しないアンプ側から１チャンネル分の電気信号が入力される。
【００２６】
樹脂フレーム５は、樹脂材料からなるフレームである。樹脂フレーム５には、スピーカー装置１００の様々な構成部品が固定され、スピーカー装置１００を支持する役目を担う。樹脂フレーム５は、上方に開いた鍋状又はつぼ状の形状をなし、振動板１のエッジ部１ａを支持する第１のフランジ部５ａと、ダンパー２の外周縁部を支持する第２のフランジ部５ｂと、磁気回路系１１を載置する載置部５ｃとを有する。
【００２７】
第１のフランジ部５ａは樹脂フレーム５の上部の位置に形成されており、第２のフランジ部５ｂは樹脂フレーム５の中央部の位置に形成されている。載置部５ｃは、樹脂フレーム５の下部側、即ち背面側の位置に形成されている。載置部５ｃの中心軸近傍は、その下面側から上面側にかけて円錐台形状の窪みが形成されている。載置部５ｃは、その中心軸上に開口５ｄを有し、その周縁近傍に段部５ｊ及び孔部５ｋを有し、その背面側に凹部５ｅ及びスリット５ｍを有する。段部５ｊ、孔部５ｋ、凹部５ｅ及びスリット５ｍは、低音再生用のスピーカーユニット５０の組み立て時に磁気回路系１１と樹脂フレーム５との間の空間内の体積変化による接着剤６０の気泡発生を防止する役目を果たす。開口５ｄには、後述する固定部材４１が貫通しており、凹部５ｅには後述する銘板４２が貼付されている。この銘板４２は、スピーカー装置１００の背面側の見栄えなどを良くしたり、或いは製品情報などをユーザに認知させたりする用途として使用される。
【００２８】
次に、磁気回路系１１の各構成要素について説明する。
【００２９】
磁気回路系１１は、外磁型の磁気回路系として構成されている。本磁気回路は、ポールピース６と、環状のマグネット７と、環状のプレート８とを有する。
【００３０】
ポールピース６は、断面視すると略逆Ｔ字状の形状をなす。ポールピース６は、樹脂フレーム５の載置部５ｃ上に接着剤６０を介して固着している。ポールピース６は、フランジ状のヨーク６ａと、円筒状の形状をなすセンターポール６ｂと、センターポール６ｂ内に設けられた開口６ｃ及び６ｄとを有する。
【００３１】
ヨーク６ａは、樹脂フレーム５の載置部５ｃ上に配置されている。センターポール６ｂの下面側の中心軸近傍には円錐台形状の窪みが形成されている。センターポール６ｂ内に形成された開口６ｃ及び６ｄは各々直径が異なり、それらの開口は通じている。開口６ｃは、開口６ｄよりも直径が若干大きく、センターポール６ｂの中央部近傍からその上部にかけて形成されている。一方、開口６ｄは、開口６ｃの下端側、即ちセンターポール６ｂの中央部側から下部にかけて形成されている。また、開口６ｃには、後述する支持部材４０の下端部４０ｂｃが挿入されて、支持部材４０がセンターポール６ｂに固定されている。さらに、開口６ｃ及び６ｄには、固定部材４１が貫通している。なお、開口６ｃは、後述する支持部材４０の貫通穴４０ｂｂを介して固定部材４１が貫通している。
【００３２】
環状のマグネット７は、ヨーク６ａの上面に重なり合うように配置されていると共に、環状のプレート８は、マグネット７の上面に重なり合うように配置されている。センターポール６ｂは、環状のマグネット７及びプレート８の中央部の開口内を上方に延びている。プレート８の外周縁部は、補強のため、樹脂フレーム５の内周壁に接着剤６０を介して固定されている。
【００３３】
磁気回路系１１では、マグネット７、プレート８及びポールピース６により磁気回路を構成し、プレート８の内周壁とポールピース６の外周壁との間に形成される磁気ギャップ３３にマグネット７の磁束を集中させている。
【００３４】
樹脂グリル２１は、例えば樹脂材料からなり、低音再生用のスピーカーユニット５０、及び高音再生用のスピーカーユニット５１を保護する機能などを有する。このため、樹脂グリル２１は、それらを覆うように樹脂フレーム５に取り付けられている。また、樹脂グリル２１の上面側には、図示しないストライプ状の間隙が断続的に形成されており、低音再生用のスピーカーユニット５０、及び高音再生用のスピーカーユニット５１がその間隙を通じて放音側に音波を放射できるようになっている。
【００３５】
次に、高音再生用のスピーカーユニット５１について説明する。高音再生用のスピーカーユニット５１は、主として、振動板６１、ボイスコイル１４、及び上側フレーム１５を有する振動系３０と、ポールピース１６、環状のマグネット１７、及び環状のプレート１８を有する磁気回路系３１と、カバー２３とを備えている。
【００３６】
先ず、振動系３０の各構成要素について説明する。
【００３７】
振動板６１は、いわゆるドーム形状の振動板であり、エッジ部６１ａと一体的に形成されている。振動板６１は、上記振動板１と同様に、各種の用途に応じ、紙系、高分子系、金属系などの各種の材料を適用することができる。振動板６１の外周縁部、即ちエッジ部６１ａの外周縁部の下面は、樹脂フレーム１５の上面に固着している。
【００３８】
ボイスコイル１４は、略円筒状の形状をなす。ボイスコイル１４の外周壁は、環状のプレート１８の内周壁と一定の間隔を隔てて対向している。一方、ボイスコイル１４の内周壁は、ポールピース１６の上端部の外周壁と一定の間隔を隔てて対向している。そして、ポールピース１６の外周壁と、プレート１８の内周壁との間に空隙（磁気ギャップ３４）が形成されている。
【００３９】
また、ボイスコイル１４は、プラス／マイナスのリード端子（図示略）を有している。プラス側のリード端子は、Ｌ（又はＲ）チャンネル信号の入力端子であり、マイナス側のリード端子はグランド（ＧＮＤ：接地）信号の入力端子である。各リード端子は、図示しない各錦糸線の一端に電気的に接続されており、図示しない各錦糸線の他端は、図示しない接続端子に電気的に接続されている。ボイスコイル１４には、その接続端子及び錦糸線を介して、図示しないアンプ側から１チャンネル分の電気信号が入力される。
【００４０】
上側フレーム１５は、樹脂材料からなり、略環状の形状をなす。上側フレーム１５は、環状のプレート１８の上面に重なり合うように配置されている。上側フレーム１５は、振動板６１の外周縁部、即ちエッジ６１ａを支持する。
【００４１】
次に、磁気回路系３１の各構成要素について説明する。
【００４２】
磁気回路系３１は、外磁型の磁気回路系として構成されている。本磁気回路は、ポールピース１６と、環状のマグネット１７と、環状のプレート１８とを有する。
【００４３】
ポールピース１６は、断面視すると略逆Ｔ字状の形状をなす。ポールピース１６の下面には平坦性が確保されている。ポールピース１６は、支持部材４０の上端面４０ｂａに接着剤６０（図示略）を介して固着している。ポールピース１６は、フランジ状をなすヨーク１６ａと、円筒状の形状をなすセンターポール１６ｂと、そのセンターポール１６ｂ内に設けられた固定穴１６ｃと、センターポール１６ｂの下端部の外周壁とヨーク１６ａとの間に形成され断面が階段状の形状をなす段部１６ｄとを有する。
【００４４】
ヨーク１６ａは、支持部材４０の上端面４０ｂａ上に配置されている。センターポール１６ｂの下面側の中心軸近傍には円錐台形状の窪みが形成されている。固定穴１６ｃは、例えば、雌ねじであり、固定部材４１の先端部（例えば、雄ねじ）が挿入されてねじ止めされる。段部１６ｄの外周壁は、マグネット１７の下端部の外周壁と接触している。
【００４５】
環状のマグネット１７は、ヨーク１６ａの上面に重なり合うように配置されている。環状のマグネット１７の下端部の内周壁は、上記のように、ポールピース１６の段部１６ｄの外周側に配置され、環状のマグネット１７はヨーク１６ａ上の所定位置に正確に位置決めされている。環状のプレート１８は、マグネット１７の上面に重なり合うように配置されている。
【００４６】
磁気回路系３１では、マグネット１７、プレート１８及びポールピース１６により磁気回路を構成し、プレート１８の内周壁とポールピース１６の外周壁との間に形成される磁気ギャップ３４にマグネット１７の磁束を集中させている。
【００４７】
カバー２３は、例えば、樹脂材料からなり、後述する支持部材４０のフレーム部４０ａに取り付けられ、高音再生用のスピーカーユニット５１の放音側を覆っている。カバー２３は、高音再生用のスピーカーユニット５１を保護する機能などを有する。
【００４８】
スピーカー装置１００のその他各種の部材としては、支持部材４０、固定部材４１及び銘板４２が挙げられる。
【００４９】
支持部材４０は、円筒状の形状をなす連結部４０ｂと、その連結部４０ｂの上端面４０ｂａから高音再生用のスピーカーユニット５１の周囲を覆うように上方に延在してなるフレーム部４０ａとを有する。フレーム部４０ａにはカバー２３が装着されており、高音再生用のスピーカーユニット５１が覆われている。連結部４０ｂは、低音再生用のスピーカーユニット５０と、高音再生用のスピーカーユニット５１とを同軸上に配置している。連結部４０ｂの下端部４０ｂｃは、上記したように、ポールピース６の開口６ｃに挿入された状態で固定されている。平坦性の確保された上端面４０ｂａには、高音再生用のスピーカーユニット５１が接着剤６０（図示略）を介して固着している。連結部４０ｂ内には、その中心軸上を上下方向に貫通する貫通穴４０ｂｂが形成されており、その貫通穴４０ｂｂには固定部材４１が貫通している。
【００５０】
固定部材４１としては、例えば、雄ねじやボルトなどの部材が好適である。固定部材４１の先端部には、固定穴１６ｃの雌ねじに対応する雄ねじが形成されている。固定部材４１は、スピーカー装置１００の背面側から開口５ｄ、６ｄ及び６ｃ、並びに貫通穴４０ｂｂに通じて固定穴１６ｃに挿入されている。これにより、低音再生用のスピーカーユニット５０と、高音再生用のスピーカーユニット５１とが支持部材４０を介して同軸上に固定されている。
【００５１】
銘板４２は、高分子材料あるいは金属材料などからなり、円板状の形状をなす。銘板４２は、上記したように、樹脂フレーム５の凹部５ｅに粘着剤や接着剤などにより貼り付けられている。銘板４２には、製品情報や会社名などが印字されている。
【００５２】
以上に述べたスピーカー装置１００において、アンプ側から各錦糸線に電気信号が入力されると、その電気信号はボイスコイル４、１４の各リード端子を介して、ボイスコイル４、１４へ供給される。これにより、磁気ギャップ３３、３４内でボイスコイル４、１４に夫々駆動力が発生し、振動板１、６１をスピーカー装置１００の軸方向に振動させる。こうして、スピーカー装置１００は放音側に音波を放射する。
【００５３】
[樹脂フレームの構造]
次に、図１乃至図３を参照して、低音再生用のスピーカーユニット５０の磁気回路系１１を樹脂フレーム５の載置部５ｃ上に安定した状態で固定させるための樹脂フレーム５の構造などについて説明する。
【００５４】
図２は、図１（ａ）におけるヨーク６ａ及び載置部５ｃの部分を拡大した断面図を示す。図３（ａ）は、固定部材４１の固定穴１６ｃに対する締め付けが強すぎる場合のヨーク６ａ及び載置部５ｃの周辺を拡大した断面図を示す。図３（ｂ）は、図３（ａ）における領域Ｅ１（一点鎖線で囲まれる領域）の部分を拡大した断面図を示す。
【００５５】
スピーカー装置１００では、図１（ｂ）及び図２に示すように、ヨーク６ａの外周縁近傍に対応する載置部５ｃ上の位置に環状の凸部５ｆが形成されている。この環状の凸部５ｆによりヨーク６ａが支持される。
【００５６】
樹脂フレーム５は樹脂の成形により作製されるため、載置部５ｃの底面の平坦度にばらつきが生じる場合がある。載置部５ｃに凸部５ｆを形成していない場合、載置部５ｃの底面全体でヨーク６ａを支持することとなるので、載置部５ｃの底面の平坦度にばらつきがあると、その影響でヨーク６ａを載置部５ｃ上に水平に取り付けることが難しくなる。これに対し、本発明では、載置部５ｃの底面全体でヨーク６ａを受ける（支持する）のではなく、環状の凸部５ｆのみでヨーク６ａを支持する構成としたので、載置部５ｃの底面に平坦度のばらつきがある場合でも、その影響を受けることなくヨーク６ａを水平に取り付けることができる。
【００５７】
なお、その凸部５ｆは樹脂フレーム５の成形時に同時に形成される。このため、その凸部５ｆの形成によって樹脂フレーム５などが大幅にコストアップすることはない。なお、本実施例では、環状の凸部５ｆを載置部５ｃ上に１つだけ形成するようにしているが、周方向に複数形成するようにしてもよい。
【００５８】
ヨーク６ａの底面は、凸部５ｆの上面に接触した状態で、接着剤６０などを介して載置部５ｃ上に固定される。ここで、凸部５ｆが形成されていることにより、ヨーク６ａの底面と、載置部５ｃの上面（凸部５ｆを除く）との間には空隙が形成され、接着時にはその空隙に接着剤６０が入り込む。したがって、ヨーク底面と凸部が形成されていない載置部とを接着剤を介して貼着させただけのスピーカー装置と、本実施例のスピーカー装置１００とを比べると、後者の方が接着剤の使用量が多くなり、低音再生用のスピーカーユニット５０の磁気回路系１１と、樹脂フレーム５の載置部５ｃとの接着強度が向上する。これにより、磁気回路系１１を載置部５ｃ上に安定した状態で固定することができる。
【００５９】
また、本スピーカー装置１００では、固定部材４１の固定穴１６ｃに対する締め付けが強い場合でも磁気回路系１１を載置部５ｃ上に安定した状態で固定することができる。即ち、図３（ａ）に示すように、固定部材４１の固定穴１６ｃに対する締め付けが強い場合、固定部材４１は矢印６１の方向に移動する。このため、金属フレームに比し剛性の低い樹脂フレーム５の載置部５ｃの中心軸付近は矢印６１の方向に撓むと共に、載置部５ｃの外周縁部は矢印６２の方向に撓む。したがって、ヨーク底面と凸部が形成されていない載置部面上とを接着剤で貼着しただけのスピーカー装置の場合、ヨーク底面の外周縁部と、その部分に対応する載置部面上の外周縁部とは離隔して、それらの接着強度が弱まり、場合によっては接着不良を引き起こすことがある。
【００６０】
これに対し、スピーカー装置１００では、図３（ｂ）の拡大断面図に示すように、載置部５ｃにそのような変形が生じたとしても、凸部５ｆの一部の領域Ｅ２（一点鎖線で囲まれる領域）が変形してヨーク６ａの底面を支持するため、ヨーク底面の外周縁部が載置面５ｃから離隔することを防止することができ、磁気回路系１１が載置部５ｃ上に不安定な状態（例えば、傾いた状態など）で取り付けられることがない。よって、低音再生用のスピーカーユニット５０の磁気回路系１１を載置部５ｃ上に安定した状態で固定することができる。
【００６１】
加えて、スピーカー装置１００では、樹脂フレーム５の開口５ｄ、ポールピース６の開口６ｃ、６ｄ、支持部材４０の貫通穴４０ｂｂの順に、背面側から放音側にかけて固定部材４１を挿通し、固定部材４１と固定穴１６ｃとのねじ結合する。よって、低音再生用のスピーカーユニット５０の磁気回路系１１と、高音再生用のスピーカーユニット５１の磁気回路系３１とを支持部材４０を介して同軸上に固定することができる。
【００６２】
[変形例]
上記実施例では、載置部５ｃの上面に環状の凸部５ｆを形成するようにしたが、これ限らず、図４の樹脂フレーム５の背面図に示されるように、載置部５ｃの上面の周方向に沿って独立した凸部５ｆを複数形成するようにしてもよい。このような複数の凸部５ｆを有する樹脂フレーム５において、その載置部５ｃの底面の平坦度にばらつきがあった場合でも、ヨーク６ａの底面は複数の凸部５ｆにより支持されるので、樹脂フレーム底面の平坦度のばらつきの影響を受けることはない。このため、低音再生用スピーカーユニット５０の磁気回路系１１を載置部５ｃ上に安定した状態で固定することができる。
【図面の簡単な説明】
【００６３】
【図１】本発明の実施例に係るスピーカー装置の断面図及び背面図を示す。
【図２】ヨーク及び樹脂フレームの載置部の近傍を拡大した断面図を示す。
【図３】固定部材の固定穴に対する締め付けが強い場合のヨーク及び載置部の近傍を拡大した断面図を示す。
【図４】樹脂フレームの載置部上に形成される凸部の他の態様を背面図として示す。
【符号の説明】
【００６４】
５  樹脂フレーム
６  ポールピース
７  マグネット
８  プレート
１０  振動系
１１  磁気回路系
４０  支持部材
４１  固定部材
５０、５１  スピーカーユニット
６０  接着剤
５ｃ  載置部
５ｆ  凸部
６ａ  ヨーク
５ｄ、６ｃ、６ｄ、  開口
４０ｂｂ  貫通穴
１６ｃ  固定穴
１００  スピーカー装置
【図１】
2005277866.tif 000003
【図２】
2005277866.tif 000004
【図３】
2005277866.tif 000005
【図４】
2005277866.tif 000006